(57)【要約】【課題】  解剖実習室における給排気を効率的に行うための給排気システムを提供することである。【解決手段】  複数基の解剖台（１２）が規則的に配置された解剖実習室（１０）の給排気システムであって、解剖実習室に配置された給気口（１４）から解剖実習室内に空気を供給する給気手段と、解剖台の周縁の少なくとも一部に設けられた排気口（１２ｃ）から解剖実習室内の空気を強制的に排出する排気手段とを備えた給排気システムにおいて、給気口が、隣接する解剖台の長辺の間に位置する箇所の天井にそれぞれ配置されており、給気手段によって供給される空気が、解剖実習室の床面に到達せず、かつ、排気口に吸引される程の流速であることを特徴とする給排気システムが提供される。【選択図】  図１
2013181663.tif 000002
【特許請求の範囲】
【請求項１】
複数基の解剖台が規則的に配置された解剖実習室の給排気システムであって、前記解剖実習室に配置された給気口から前記解剖実習室内に空気を供給する給気手段と、前記解剖台の周縁の少なくとも一部に設けられた排気口から前記解剖実習室内の空気を強制的に排出する排気手段とを備えた給排気システムにおいて、
前記給気口が、隣接する前記解剖台の長辺の間に位置する箇所の天井にそれぞれ配置されており、
前記給気手段によって供給される空気が、ほぼ真下に向かって下降し、前記解剖実習室の床面に到達せず、かつ、前記排気口に吸引される程の流速であることを特徴とする給排気システム。
【請求項２】
前記給気手段によって供給される空気が、前記給気口の平面視の全面において実質的に均一な流速となるように構成されていることを特徴とする請求項１に記載された給排気システム。
【請求項３】
前記空気の流速が、０．１ｍ／秒〜０．９ｍ／秒であることを特徴とする請求項１又は２に記載された給排気システム。
【請求項４】
前記解剖実習室の室内と室外との間に、差圧ダンパ付きのダクトが設置されており、室内の圧力を室外の圧力よりも低く維持されるように構成されていることを特徴とする請求項１から３までのいずれか１項に記載された給排気システム。
【発明の詳細な説明】
【技術分野】
【０００１】
本発明は一般に、給排気システムに関する。より詳細には、本発明は、解剖実習が行われる解剖実習室において効率的に給排気を行うための給排気システムに関する。
【背景技術】
【０００２】
大学医学部等の医科系教育機関において、解剖は必須の実習科目であり、解剖実習は、当該教育機関に設置されている解剖実習室で行われる。解剖に供される献体は、腐敗を防ぐため、ホルマリン処理がなされているが、ホルマリンから発生するホルムアルデヒドの発ガン性のため、解剖実習を行う実習生に対する健康対策が望まれる。
【０００３】
一方、労働安全衛生法に基づく「特定化学物質障害予防規則」における取り扱いが変更され、ホルムアルデヒドが「特化則第３類物質」から「第２類」に改正されたことにより、作業環境濃度の規制値が０．２５ｐｐｍから０．１ｐｐｍに変更され、より厳格になったことに伴い、解剖実習室を新規制値に適合させることが求められている。
【０００４】
従来、解剖実習室にホルムアルデヒド脱臭装置を設置し、室内のホルムアルデヒド濃度を低下させるように努めていた。また、解剖時に献体から発生するホルムアルデヒドの拡散を防止するための換気装置（特許文献１）、解剖実習室用有害ガス曝露防止装置（特許文献２）等の技術が提案されている。
【先行技術文献】
【特許文献】
【０００５】
【特許文献１】特開２０１０−０５１４９５号公報
【特許文献２】特許第４３４９５８３号公報
【発明の概要】
【発明が解決しようとする課題】
【０００６】
従来、解剖実習室では、天井面に設ける給気口として、いわゆるユニバーサルグリルが使用される場合が多いが、ユニバーサルグリルを使用すると、給気口の外周付近と中央部分における空気の流出速度に差が生ずるため、給気口から下降する気流が乱流となり、献体から発生するホルムアルデヒドが拡散されるという不都合がある。また、給気口が解剖台の直上の天井面に設けられている場合には、献体に直接気流が当たって献体が乾燥するおそれがある。さらに、ホルムアルデヒド脱臭装置の設置のみでは、改正された作業環境濃度の規制値を遵守することは困難である。このように、従来技術の対策では、実習生がホルムアルデヒドを吸引するのを完全に防止するのは容易ではないため、解剖実習室の給排気を効率的に行うことができる技術に対する要請があった。
【０００７】
本発明は、このような状況に鑑みて開発されたものであって、実習生がホルムアルデヒドを吸引しないように、解剖実習における給排気を効率的に行うための給排気システムを提供することを目的とする。
【課題を解決するための手段】
【０００８】
本願請求項１に記載の給排気システムは、複数基の解剖台が規則的に配置された解剖実習室に設置され、前記解剖実習室に配置された給気口から前記解剖実習室内に空気を供給する給気手段と、前記解剖台の周縁の少なくとも一部に設けられた排気口から前記解剖実習室内の空気を強制的に排出する排気手段とを備えた給排気システムは、前記給気口が、隣接する前記解剖台の長辺の間に位置する箇所の天井にそれぞれ配置されており、前記給気手段によって供給される空気が、ほぼ真下に向かって下降し、前記解剖実習室の床面に到達せず、かつ、前記排気口に吸引される程の流速であることを特徴とするものである。
【０００９】
本願請求項２に記載の給排気システムは、前記請求項１のシステムにおいて、前記給気手段によって供給される空気が、前記給気口の平面視の全面において実質的に均一な流速となるように構成されていることを特徴とするものである。
【００１０】
本願請求項３に記載の給排気システムは、前記請求項１又は２のシステムにおいて、前記空気の流速が、０．１ｍ／秒〜０．９ｍ／秒であることを特徴とするものである。
【００１１】
本願請求項４に記載の給排気システムは、前記請求項１から請求項３までのいずれか１項のシステムにおいて、前記解剖実習室の室内と室外との間に、差圧ダンパ付きのダクトが設置されており、室内の圧力を室外の圧力よりも低く維持されるように構成されていることを特徴とするものである。
【発明の効果】
【００１２】
本発明の給排気システムにより、実習生の背後から実習生の手元に向かって流れる気流を作り出すことができるので、実習時のホルムアルデヒドの吸引を最小限に抑えることができる。また、解剖実習室内の圧力を室外に対して低圧に維持することにより、解剖実習室からのホルムアルデヒドの流出を回避することができる。
【図面の簡単な説明】
【００１３】
【図１】本発明の給排気システムが設置される解剖実習室の一例を模式的に示した配置図である。
【図２】図１の線２−２に沿って見た図である。
【図３】図１の線３−３に沿って見た図である。
【図４】図１の線４−４に沿って見た給排気フロー図である。
【図５】本発明の給排気システムにおいて使用される局所排気式解剖台を示した斜視図である。
【図６】図６（ａ）は、本発明の給排気システムにおいて使用される給気口の一例を示した断面図、図６（ｂ）は、給気口の別の例を示した断面図、６（ｃ）は、給気口から低速で空気を流出させた場合を示した図、図６（ｄ）は、従来の給気口から中速又は高速で空気を流出させた場合を示した図である。
【図７】図７（ａ）は、解剖実習中に本発明の給排気システムが実施されている状態を示した模式図、図７（ｂ）は、本発明の給排気システムを作動させた場合の解剖実習室内の空気の流れを示した模式図である。
【図８】本発明の給排気システムの変形形態を示した図である。
【発明を実施するための形態】
【００１４】
次に、図面を参照して、本発明の好ましい実施の形態に係る解剖実習室の給排気システムについて詳細に説明する。図１は、本発明の給排気システムが設置される解剖実習室１０の一例を模式的に示した配置図である。図１に示される解剖実習室には、多数基の解剖台１２が規則的に配置されている。
【００１５】
解剖台には、種々の型式のものが使用されているが、本発明の給排気システムにおいて使用される解剖台１２は通常、局所排気式解剖台と呼ばれているものである。図５は、１基の局所排気式解剖台を示した斜視図である。局所排気式解剖台１２は、図５に示されるように、全体として矩形の（対向する一対の長辺１２ａと対向する一対の短辺１２ｂからなる）平面形状を有しており、解剖が行われる台の四周縁（すなわち、長辺１２ａ及び短辺１２ｂに沿って）排気口１２ｃが設けられている。排気口１２ｃは、排気ダクト１２ｄに連結されており、解剖台１２の周囲の空気や臭気等が、排気口１２ｃから排気ダクト１２ｄを介して、排風機１８によって、解剖実習室１０の外部に強制的に排気されるようになっている。
【００１６】
なお、このような局所排気式解剖台１２自体は、公知の装置である。また、図５に示される局所排気式解剖台１２では、四周縁の全てに排気口１２ｃが設けられているが、例えば一対の長辺１２ａ及び一方の短辺１２ｂに沿って排気口１２ｃを設けるように構成されたもの（すなわち、他方の短辺１２ｂには、排気口１２ｃを設けないように構成されたもの）を使用してもよい。
【００１７】
図２は、図１の線２−２に沿って見た図、図３は、図１の線３−３に沿って見た図である。解剖実習室１０には、隣接する解剖台１２の長辺１２ａの間に位置する箇所の天井に、給気口１４が配置されている。給気口１４を解剖台１２の直上ではなく、このような箇所に設けたのは、給気口１４から供給される空気が、解剖台１２上の献体に当たらないようにするためである。なお、給気口１４は、下記の理由のため、低流速の空気が供給されるような型式のものが使用される。
【００１８】
給気口１４から供給される空気は、ほぼ下方に向かって下降し、解剖実習室１０の床面に到達せず、かつ、解剖台１２の排気口１２ｃに吸引される程の流速で供給される。空気の流速が大きくなると、（１）床面に衝突した空気によって解剖台１２の周辺に乱流が引き起こされ、（２）（図６（ｄ）に示されるように、例えばＶＨＳ型式のような従来の給気口が用いられる場合には）給気口から放出される際に空気が角度αをなして拡散するので、解剖台１２上の献体に空気が当たって献体が乾燥するおそれがあるため、このような事態が生ずるのを回避するため、上述のような低流速の空気が供給されるように構成されている。また、給気口１４から供給される空気が乱流になるのを回避するため、好ましくは、給気口１４の平面視の全面において実質的に均一な流速で空気が供給されるように構成されている。
【００１９】
なお、実験結果によると、「解剖実習室１０の床面に到達せず、かつ、解剖台１２の排気口１２ｃに吸引される程の流速」は、０．１ｍ／秒〜０．９ｍ／秒にほぼ相当する。したがって、給気口１４から供給される空気の流速は、好ましくは、０．１ｍ／秒〜０．９ｍ／秒である。
【００２０】
図６（ａ）は、好ましい型式の給気口１４の一例を示した断面図である。図６（ａ）に示される給気口１４は、給気ダクト１４ａに連結された給気ボックス１４ｂを有している。給気ボックス１４ｂ内には、フィルタ１４ｃが配置され、フィルタ１４ｃは、適当な手段（図示せず）によって、給気ボックス１４ｂ内に取り付けられている。給気口１４はまた、給気ボックス１４ｂの下方の開口に配置された内部拡散ユニット１４ｄと、内部拡散ユニット１４ｄの全体を覆うように、内部拡散ユニット１４ｄの下方に配置された外部拡散ユニット１４ｅとを有している。内部拡散ユニット１４ｄは、側面部１４ｄ１、斜面部１４ｄ２、及び底面部１４ｄ３によって構成され、側面部１４ｄ１、斜面部１４ｄ２、及び底面部１４ｄ３には、多数の小孔（図示せず）が設けられている。一方、外部拡散ユニット１４ｅにも、多数の小孔１４ｅ１が設けられている。このように構成された給気口１４では、給気ダクト１４ａから供給された空気が、内部拡散ユニット１４ｄ及び外部拡散ユニット１４ｅを通過することにより流速が弱められるとともに、給気口１４の（外周部、中央部を問わず）平面視の全面において実質的に均一な流速で流出するという効果が得られる。
【００２１】
図６（ｂ）は、別の給気口１５を示した断面図である。図６（ｂ）に示される給気口１５は、給気ダクト１４ａに連結された第１室１５ｂと、第１室１５ｂの下方に配置された第２室１５ｃと、第２室１５ｃの下面と室内との間に配置された多孔プレート（パンチングプレート）１５ｄとを有し、第１室１５ｂと第２室１５ｃとは、気流の風速を抑えるための開口付き円錐状体１５ｅを介して連通している。そして、給気ダクト１５ａを介して流入した空気は、第１室１５ｂから第２室１５ｃに移動する際に、開口付き円錐状体１５ｅのため流速が弱められ、第２室１５ｃから室内に流入する際に、多孔プレート１５ｄのため流速がさらに弱められるとともに、給気口１５の平面視の全面において実質的に均一な流速で流出するようになっている。
【００２２】
なお、図６に示される給気口１４、１５は、例示的なものにすぎず、低流速かつ全面において均一な流速で空気が供給されるようなものであれば、他の型式の給気口を使用してもよい。また、図６以外の図面では、簡単のため、給気口１４のみが示されているが、もちろん、給気口１５を使用してもよいし、他の適当な給気口を使用してもよい。
【００２３】
図４は、図１の線４−４に沿って見た給排気フロー図である。給気手段は、給気口１４と、給気口１４から延びた給気ダクト１４ａと、給気ダクト１４ａに連結された給気用空調機１６とを有し、給気用空調機１６の送風機１６ａによって、外気が給気ダクト１４ａを介して給気口１４から解剖実習室１０内に供給されるようになっている。排気手段は、解剖台１２に設けられた排気口１２ｃと、排気口１２ｃから延びた排気ダクト１２ｄと、排気ダクト１２ｄに配置された排風機１８とを有し、排風機１８を作動させることによって、解剖台１２の周囲の空気が、排気口１２ｃから排気ダクト１２ｄを介して解剖実習室１０外に排気されるようになっている。
【００２４】
解剖実習室１０の室内と室外（廊下）との間に、差圧ダンパ２０ａ付きのパスダクト２０が設置されている。
【００２５】
図７（ａ）は、本発明の給排気システムを使用して、解剖実習室１０内の給排気が実施されている状態を示した模式図である。解剖を行う実習生は、解剖台１２の長辺１２ａの脇に着座する。すると、実習生の背後の直上の天井に、給気口１４が位置することとなる。解剖が始まるのに先立って、給気口１４から所定流速の空気を供給する。給気口１４から流出した空気は、ほぼ真下に向かって低流速で下降し（図６（ｃ）及び図７（ａ）参照）、先に流出した空気が後に流出した空気に押されるようにして、徐々に解剖者の背中の近傍の位置に到達する。
【００２６】
一方、解剖台１２の排気手段を作動させると、解剖台１２の排気口１２ｃから、解剖台１２の周囲の空気が吸い込まれる。解剖が始まると、献体からホルムアルデヒドが放出されるが、給気口１４から流出して解剖者の背中の近傍の位置に到達した空気が排気口１２ｃに吸い込まれるため、実習生の頭部周辺の空気は、図７（ａ）に示されるように、実習生の後頭部や背中から、排気口１２ｃの位置する実習生の手元に向かって流れ、実習生がホルムアルデヒドを吸引する可能性を極めて少なくすることができる。図７（ｂ）は、本発明の給排気システムを作動させた場合の解剖実習室１０内の空気の流れを示した模式図である。
【００２７】
解剖実習室１０の室内への空気供給量は、解剖台１２の排気口１２ａから吸引される空気量よりも少なくなるように構成されており、これにより解剖実習室１０の室内の圧力を室外の圧力よりも低く維持している。なお、室外（廊下）との間に、差圧ダンパ２０ａ付きのパスダクト２０が設置されており、室内への空気の供給量と排気口１２ａから吸引される空気量の差分の空気を室外から取り入れる一方、解剖実習室１０のホルマリンを含んだ室内空気が室外（廊下）に流出するのを防止している。なお、パスダクト２０及び差圧ダンパ２０ａを、廊下以外の解剖実習室１０の室外空間に設置してもよい。
【００２８】
本発明は、以上の発明の実施の形態に限定されることなく、特許請求の範囲に記載された発明の範囲内で、種々の変更が可能であり、それらも本発明の範囲内に包含されるものであることはいうまでもない。
【００２９】
例えば、前記実施の形態では、給気口１４が、複数基の解剖台１２にわたって連続して形成されているが、図８（ａ）に示されるように、給気口１４を各解剖台１２毎に断続した形態に形成してもよい。また、図８（ｂ）に示されるように、給気口１４を、長辺１２ａ間に加えて、短辺１２ｂ間に配置してもよい。
【００３０】
なお、給気口１４の設置箇所である「隣接する解剖台１２の長辺１２ａの間に位置する箇所の天井」には、（隣接する解剖台１２の間の箇所ではないが）最端の給気口１４′′（図１）の設置箇所も含めるものとする。
【符号の説明】
【００３１】
１０  解剖実習室
１２  解剖台
１２ａ  長辺
１２ｂ  短辺
１２ｃ  排気口
１２ｄ  排気ダクト
１４、１４′、１４′′  給気口
１４ａ  給気ダクト
１４ｂ  給気ボックス
１４ｃ  フィルタ
１４ｄ  内部拡散ユニット
１４ｅ  外部拡散ユニット
１５  （別の型式の）給気口
１５ｂ  第１室
１５ｃ  第２室
１５ｄ  多孔プレート
１５ｅ  開口付き円錐状体
１６  給気用空調機
１６ａ  送風機
１８  排風機
２０  パスダクト
２０ａ  差圧ダンパ
【図１】
2013181663.tif 000003
【図２】
2013181663.tif 000004
【図３】
2013181663.tif 000005
【図４】
2013181663.tif 000006
【図５】
2013181663.tif 000007
【図６】
2013181663.tif 000008
【図７】
2013181663.tif 000009
【図８】
2013181663.tif 000010